(57)【特許請求の範囲】
【請求項１】
開閉体により空間を仕切るようにして閉鎖動作する開閉装置において、
開閉体幅方向に長尺な補強部材を、開閉体幅方向へわたって開閉体面に沿う収納位置と、開閉体幅方向に対し交差して開閉体面に沿う補強位置との間で回動するように、該開閉体面に枢支してなり、
前記開閉体は、開閉体幅方向へわたる凹部を有するスラットを開閉体開閉方向へ複数接続してなり、
前記補強部材は、前記収納位置にある際に、前記凹部内に位置するように設けられていることを特徴とする開閉装置。
【請求項２】
前記補強部材は、前記凹部内から凹部外に開閉体厚さ方向へ移動した後に回動して前記補強位置になるように設けられていることを特徴とする請求項１記載の開閉装置。
【請求項３】
前記補強部材を開閉体開閉方向にわたって複数設け、隣接する前記補強部材同士が前記補強位置になった際に互いに係止し合うようにしたことを特徴とする請求項１又は２記載の開閉装置。
【請求項４】
前記補強位置になった際の前記補強部材が、開閉体周囲の不動部位に係止されるようにしたことを特徴とする請求項１乃至３何れか１項記載の開閉装置。
【請求項５】
前記補強位置になった際の前記補強部材が、開閉体周囲の開閉体面に係止されるようにしたことを特徴とする請求項１乃至３何れか１項記載の開閉装置。
【発明の詳細な説明】
【技術分野】
【０００１】
本発明は、開閉体が撓むおそれのある開閉装置に関するものである。
【背景技術】
【０００２】
従来、この種の発明には、特許文献１に記載されているように、構造物の窓サッシの屋外側にシャッターカーテン３を配置するようにした開閉装置であって、窓サッシ側の網戸障子や、戸尻側縦框、シャッターカーテンの裏面等に緩衝材を止着したものがある。
この従来技術によれば、屋外側から強風によりシャッターカーテンが室内側へ撓んだとしても、その撓んだ際のシャッターカーテンが網戸障子やサッシ障子に直接的に当接するのを、これらの間に介在する前記緩衝材によって緩和することができる。
【０００３】
しかしながら、上記従来技術では、シャッターカーテンと網戸障子やサッシ障子との直接接触を緩衝材により阻むようにしているとはいえ、シャッターカーテンが撓み緩衝材に衝突すれば、その衝撃が網戸障子やサッシ障子等へ伝達することになる。
その上、シャッターカーテンが撓んだりばたついたりすれば、該シャッターカーテンの幅方向の端部側が、ガイドレールの内面に強く当接する場合もある。
したがって、上記従来技術においても、シャッターカーテンの撓みやばたつきに起因して、騒音の発生や各構成部材の損傷を生じるおそれがある。
【０００４】
また、他の従来技術としては、開閉体幅方向の端部側の収納位置と、開閉体幅方向の中央位置側の進出位置との間でスライドする撓み抑制部材を備え、前記進出位置にある際の前記撓み抑制部材に撓んだ開閉体が当接するようにしたものがある。
しかしながら、この従来技術では、撓み抑制部材を前記収納位置と前記進出位置との間でスライドさせる構成であるため、そのスライド空間を要する上、撓み抑制部材の収納性にも改善の余地がある。
【先行技術文献】
【特許文献】
【０００５】
【特許文献１】特開平１１−２２３４２号公報
【特許文献２】特開２００６−２３３６２１号公報
【発明の概要】
【発明が解決しようとする課題】
【０００６】
本発明は、このような問題に対処することを課題の一例とするものである。すなわち、風や気圧差等により開閉体が厚さ方向にばたつくのを防ぐこと、開閉体のばたつきに起因した騒音の発生や各構成部材の損傷を防ぐこと、省スペースで収納性が良好なこと、等が本発明の目的である。
【課題を解決するための手段】
【０００７】
このような目的を達成するために、本発明に係る技術的手段は、以下の構成を少なくとも具備するものである。
【０００８】
開閉体により空間を仕切るようにして閉鎖動作する開閉装置において、開閉体幅方向に長尺な補強部材を、開閉体幅方向へわたって開閉体面に沿う収納位置と、開閉体幅方向に対し交差して開閉体面に沿う補強位置との間で回動するように、該開閉体面に枢支してなることを特徴とする。
【発明の効果】
【０００９】
このような特徴を有することで本発明は以下の作用効果を奏する。
補強部材を収納位置から補強位置に回動させれば、開閉体を開閉方向にわたって補強することができ、ひいては、開閉体が風や気圧差等によりばたつくのを防ぐことができる。
【図面の簡単な説明】
【００１０】
【図１】本発明に係わる開閉装置の一例を室内側から視た状態を示す正面図である。
【図２】同開閉装置の要部縦断面図である。
【図３】補強部材同士の接続状態を示す要部斜視図である。
【図４】補強部材の係止構造を示す要部斜視図である。
【図５】本発明に係わる開閉装置の他例を示す要部縦断面図である。
【図６】補強部材の係止構造の他例を示す要部斜視図である。
【図７】補強部材同士の接続状態の他例を示す正面図である。
【図８】本発明に係わる開閉装置の他例を示す正面図である。
【発明を実施するための形態】
【００１１】
本発明に係る開閉装置は、建築物等の開口部や内部空間を開閉する開閉体が、開放方向及び閉鎖方向に駆動する駆動部によって開閉動作するものであり、例えば、オーバーヘッドドアを含むシャッター装置、ロールスクリーン装置、スライディングウォール装置、防煙垂れ壁装置、防煙垂れ幕装置、引戸装置、オーニング装置等が挙げられる。
【００１２】
また、本発明に係る開閉装置は、開閉体を巻取り軸に巻き取って収納するようにした形態や、開閉体を巻取り軸に巻取ることなく開放方向側に収納するようにした形態を含む。
【００１３】
本発明の開閉体の形態として、例えば、シート状体、ネット状体、複数のスラットやパイプ、あるいはパネルを開閉方向へ連設してなる形態等、さらには、前述のシート状体、ネット状体、スラット、パイプ、パネル、パイプを適宜に組み合わせてなる形態等が挙げられる。
【００１４】
本発明に係る開閉装置の補強部材は、開閉体幅方向に長尺な部材であって、開閉体の撓みを抑制可能な程度の剛性を有する部材であればよい。この補強部材の材質は、金属や、合成樹脂、セラミック、木等とすることができ、開閉体の撓みを抑制できる硬度のものであればゴムを用いることも可能である。
【００１５】
本発明に係る好ましい一形態では、前記補強位置になった際の前記補強部材が、開閉体周囲の不動部位に係止されるようにする。
この形態によれば、補強部材が補強位置になった際に、開閉体をより強固に補強することができる。
【００１６】
前記不動部位とは、開閉動作する開閉体に対し不動な部位であればよく、具体例としては、シャッターケースや、ガイドレール、下枠、地面等が挙げられる。
【００１７】
また、他の形態では、前記補強位置になった際の前記補強部材が、開閉体周囲の不動部位に係止されていなくて、かつ、開閉体周囲の開閉体面に係止されるようにする。
この形態によっても、補強部材が補強位置になった際に、開閉体をより強固に補強することができる。
【００１８】
更なる形態では、前記開閉体は、開閉体幅方向へわたる凹部を有するスラットを開閉体開閉方向へ複数接続してなり、前記補強部材は、前記収納位置にある際に、前記凹部内に位置するように設けられている。
この形態によれば、補強部材の収納性をより向上することができる。
【００１９】
更なる形態では、前記補強部材は、前記凹部内から凹部外に開閉体厚さ方向へ移動した後に回動して前記補強位置になるように設けられている。
この形態によれば、補強部材を収納性の良好な収納位置と、補強効果の高い補強位置とに速やかに変化させることができる。
【００２０】
更なる形態では、前記補強部材を開閉体開閉方向にわたって複数設け、隣接する前記補強部材同士が前記補強位置になった際に互いに係止し合うようにした。
この形態によれば、各補強部材を開閉体幅方向に比較的短いコンパクトな構成とすることができる上、補強位置になった際には隣接する補強部材が係止し合うので、開閉体を強固に補強することができる。
【００２１】
本明細書中において、「開閉体厚さ方向」とは、閉鎖状態の開閉体の厚さ方向を意味する。また、「開閉体幅方向」とは、開閉体の開閉方向と直交する方向であって、開閉体厚さ方向ではない方向を意味する。また、「開閉体開閉方向」とは、開閉体が開口部や内部空間を仕切ったり開放したりするためにスライドする方向を意味する。
【００２２】
また、本明細書中において、「開閉体面」とは、開閉体の表面または裏面のことを意味する。
【００２３】
以下、本発明の実施の形態を図面に基づいて説明する。
【００２４】
本実施の形態の開閉装置は、住宅やビル、倉庫、工場、地下街、トンネル、車両の荷台等の構築・構造物における開口部分や内部に配設され、前記開口部分を開閉したり、躯体内部の空間を仕切ったり開放したりするシャッター装置として適用可能であり、特に、構造物における窓サッシの屋外側に装着される窓用シャッター装置として好適である。
【００２５】
この開閉装置１は、閉鎖方向端部を上下方向へスライド動作させて空間を仕切ったり開放したりする開閉体１０と、該開閉体１０の幅方向の両端部を開閉方向へ案内する左右のガイドレール２０，２０と、開閉体１０の閉鎖方向端部によって当接される下枠３０と、開閉体１０の開放方向側で開閉体１０を巻き取ったり繰り出したりする巻取装置４０と、強風時等に開閉体１０を補強する補強部材５１，５２，５３とを備えている（図１及び２参照）。
【００２６】
開閉体１０は、横長略矩形状の金属板を曲げ加工してなるスラット１１ａを、上下に隣接するスラット間で回動するように複数連接することで、開閉体本体１１を構成し、この開閉体本体１１の下方側の端部に、下枠３０に当接させるための座板部材１２を、開閉体幅方向にわたって接続してなる。
前記各スラット１１ａは、開閉体幅方向へわたる略凹状に形成され、その内側には、収納位置にある補強部材５１，５２，５３が収納される。
【００２７】
また、ガイドレール２０は、開閉体１０の幅方向端部を断面略コ字状に囲む部材であり、開閉体１０の左右両側において、巻取装置４０と下枠３０の間にわたって設けられる。
【００２８】
下枠３０は、左右のガイドレール２０，２０間にわたって当該開閉装置１の底面部を構成する部材である。
この下枠３０の開閉体幅方向の略中央には、最下側の補強部材５３を係止するための係止部材３１が固定されている。
【００２９】
この係止部材３１は、少なくとも開閉体幅方向の一方側と上方側とを開放した部材であればよく、図示例によれば、前記一方側から補強部材５３を挿入可能な断面略コ字状に形成されている（図４参照）。
【００３０】
また、巻取装置４０は、開閉体１０を巻き取ったり巻き戻したりする巻取り軸（図示せず）や、該巻取り軸および巻き取られた開閉体１０を収納する収納ケース４１等を備え、開閉体幅方向へわたって配設されている。
収納ケース４１の開閉体幅方向の略中央には、最上側の補強部材５１を係止するための係止部材４２が固定されている。
【００３１】
係止部材４２は、少なくとも開閉体幅方向の一方側と下方側とを開放した部材であればよく、図示例によれば、前記一方側から補強部材５１を挿入可能な断面略コ字状であって、前述した係止部材３１の上下左右を対象にした部材である。
【００３２】
また、補強部材５１，５２，５３は、開閉体幅方向にわたる長尺状の部材であり、開閉体幅方向へわたって開閉体面に沿う収納位置と、開閉体幅方向に対し交差して開閉体面に沿う補強位置との間で回動するように、該開閉体面に開閉方向に間隔を置いて複数（図示例によれば３つ）枢支されている。
【００３３】
各補強部材５１，５２，５３は、断面略コ字状を呈する長尺部材であり、スラット１１ａの凹部内に納まるように形成されている。
【００３４】
各補強部材５１，５２，５３の前記収納位置における開閉体幅方向（図示例によれば左右方向）の長さは、スラット１１ａの開閉体幅方向の長さよりも短い長さとするのが好ましく、更には、ガイドレール２０にのみこまれない長さとするのが好ましい。
【００３５】
また、各補強部材５１，５２，５３の前記補強位置における開閉体開閉方向（図示例によれば上下方向）の長さは、後述する軸支部材５０ａが位置するスラット１１ａ一枚分とその直上および直下のスラット１１ａ，１１ａの一部を覆う長さとするのが好ましく、更に好ましくは、軸支部材５０ａが位置するスラット１１ａ一枚分とその直上および直下のスラット１１ａ，１１ａ（計３枚分）を完全に覆う長さとするのが好ましい。
【００３６】
そして、各補強部材５１，５２，５３は、その長さ方向の略中央部分に、軸支部材５０ａを、回動可能且つ開閉体厚さ方向にスライド可能に挿通している（図２参照）。
【００３７】
軸支部材５０ａは、頭部５０ａ１と軸部５０ａ２を有する略ボルト状の部材であり、その先端部をスラット１１ａに止着している。この軸支部材５０ａの軸部５０ａ２には、環状にコイルスプリング５０ｂが装着されている。
【００３８】
コイルスプリング５０ｂは、一端側座部を軸支部材５０ａの頭部５０ａ１に係止するとともに、その他端側座部により各補強部材５１，５２，５３を開閉体１０面に付勢している。
【００３９】
したがって、各補強部材５１，５２，５３は、コイルスプリング５０ｂに付勢された状態でスラット１１ａの凹部内に位置する。
そして、各補強部材５１，５２，５３は、開閉体１０面から離れる方向（図２によれば右方向）へ引っ張られると、スラット１１ａの凹部外に位置することになる（図２（ｂ）参照）。
【００４０】
さらに、各補強部材５１，５２，５３は、開閉体１０面に沿って回動されることで、スラット１１ａの凹部の縁（カール部）に当接又は近接して、開閉体幅方向に対し交差した状態（図２（ｃ）参照）の補強位置に保持される。すなわち、本実施の形態の一例によれば、図１に二点左遷で示すように、複数の補強部材５１，５２，５３は、開閉体開閉方向（図１によれば上下方向）にわたる直線状の補強位置に保持される。
【００４１】
隣接する補強部材５１，５２（又は５２，５３）は、その一方と他方が重なり合う断面コ字状に形成される（図３参照）。すなわち、図示例によれば、開閉体開閉方向の中央側の補強部材５２は、開閉体開閉方向の両側の補強部材５１内及び補強部材５１内に納まるコ字状に形成される。
そして、隣接する補強部材同士５１，５２（又は５２，５３）は、補強位置になった際に、コ字状に重なり合って、互いに係止し合うことになる（図３参照）。
【００４２】
次に、上記構成の開閉装置１について、その作用効果を述べる。
【００４３】
先ず、各補強部材５１，５２，５３が開閉体幅方向にわたる収納位置にある状態（図１に実線で示す状態）では、各補強部材５１，５２，５３がスラット１１ａの凹部内に嵌まり込んで開閉体厚さ方向へほとんど突出しない。すなわち、補強部材５１，５２，５３は開閉体幅方向に沿って収納され回動して補強位置となるため、省スペースで収納性が良好である。
しかも、この収納位置においては、各補強部材５１，５２，５３が隣接するスラット１１ａ，１１ａ間の回動を妨げることがないので、開閉体１０を巻取り軸（図示せず）巻き取ったり巻き戻したりする動作を、支障なく行うことができる。
【００４４】
強風時には、開閉体１０を全閉し、各補強部材５１，５２，５３を開閉体１０面から離れる方向へ引いて回動させる。すると、三つの補強部材５１，５２，５３は、開閉体開閉方向へわたる直線状に連結される。そして、最上端側の補強部材５１は係止部材４２に係止され、最下端側の補強部材５３は係止部材３１に係止される。
よって、三つの補強部材５１，５２，５３が開閉体開閉方向にわたってスラット１１ａの凹部の縁（カール部）に当接又は近接した状態となり（図２（ｃ）参照）、開閉体１０の厚さ方向のばたつきが、開閉方向にわたって抑制されることになる。ひいては、開閉体１０のばたつきに起因した騒音や振動の発生、及び各構成部分の損傷等を防ぐことができる。
また、開閉体１０のばたつきに起因してスラット１１ａがガイドレール２０から抜け出すようなことを防ぐこともできる。
【００４５】
また、前記補強位置においては、最上部の補強部材５１が係止部材４２に係止され、最下部の補強部材５３が係止部材３１に係止されるため、強引に開閉体１０を室外側（図１によれば奥側）へ引き出すような犯罪行為を防ぐことができる。
【００４６】
次に、他の実施の形態について説明する。
図５に示す開閉装置２は、上述した開閉装置１に対し、各補強部材５１，５２，５３を、各補強部材５４，５５，５６に置換した構成とされる。
各補強部材５４，５５，５６は、断面略Ｌ字状を呈する長尺部材であり、スラット１１ａの凹部内に納まるように形成されている。
各補強部材５４，５５，５６は、上述した各補強部材５１，５２，５３と同様に、軸支部材５０ａ及びコイルスプリング５０ｂを介して、開閉体１０面に枢支されている。
【００４７】
隣接する補強部材５４，５５（又は５５，５６）は、開閉体開閉方向へわたる補強位置になった際、重ね合わせられた状態で、蝶螺子等の螺合部材５４ａにより締結される（図５（ｃ）参照）。
また、最下部の補強部材５６の下端側には、切欠部５６ａが設けられ、該切欠部５６ａは、開閉体１０面に止着された係止軸１３に係止される（図６参照）。係止軸１３は、頭部と軸部を有する略ボルト状の部材であり、その軸部を前記切欠部５６ａに嵌め合わせる。
同様にして、最上部の補強部材５４の上端側にも、図示しない切欠部が設けられ、該切欠部が、図示しない開閉体１０面の係止軸に嵌まり合うようになっている。
【００４８】
よって、図５に示す開閉装置２によれば、より簡素な構造で、効果的に開閉体１０の撓みを防ぐことができる。
【００４９】
なお、開閉装置２では、補強位置にある補強部材５４，５６を係止軸１３を介して開閉体１０に係止する構成としたが、他例としては、補強位置にある補強部材５４，５６を係止軸１３を介して収納ケース４１と下枠３０に止着することも可能である。
更に、他例としては、開閉装置１同様にして、補強位置にある補強部材５４，５６を、係止部材４２，３１を介して、収納ケース４１と下枠３０に係止させることも可能である。
【００５０】
また、図７は、開閉装置１における隣接する補強部材５１，５２（又は５２，５３）の接続構造の他例を示している。
すなわち、この態様では、補強部材５２の端部側に、隣接する補強部材５１（又は５３）に対し接続するための接続部材５７を設けている。
接続部材５７は、補強部材５２と補強部材５１（又は５３）との双方に嵌まり合う形状を呈し、補強部材５２端部側に収納された位置と、補強部材５２端部から突出して隣接する補強部材５１（又は５３）に嵌まり合う位置との間で、所定量スライドするように設けられる。
【００５１】
また、図８に示す態様の開閉装置３は、補強位置にある補強部材５８が斜めに傾斜して開閉体１０のばたつきを抑制するものである。
【００５２】
補強部材５８は、開閉体幅方向に長尺な本体部５８ａの両端部から伸縮部５８ｂ，５８ｂを出没させるように構成してある。
【００５３】
本体部５８ａは、断面コ字状や環状等、伸縮部５８ｂを内在可能な中空長尺状であって、スラット１１ａの凹部に嵌まり合う部材であればよい。
この本体部５８ａは、上述した各補強部材５１，５２，５３と同様に、軸支部材５０ａ及びコイルスプリング５０ｂを介して開閉体１０面に枢支される。
【００５４】
伸縮部５８ｂは、本体部５８ａの端部側に内在される長尺部材であり、本体部５８ａの端部側に収納された位置と、該端部側から突出した位置との間で所定量スライドするように設けられる。
【００５５】
また、一方のガイドレール２０の上端側と、他方のガイドレール２０の下端側とには、それぞれ係止部材２１が設けられる。
各係止部材２１は、伸縮部５８ｂの先端側を嵌脱可能な凹状の部材とすればよい。
【００５６】
よって、図８に示す開閉装置３によれば、収納位置においては、補強部材５８がスラット１１ａの凹部内に収納され、その収納性が良好である。
補強位置にするには、補強部材５８を開閉体１０面から離れる方向へ引き、斜めになるように回動させ、その両端側の伸縮部５８ｂ，５８ｂをそれぞれ係止部材２１に嵌め合わせればよい。補強部材５８は、開閉体１０面に接触又は近接して、開閉体１０が厚さ方向へばたつくのを防ぐ。
【００５７】
なお、開閉装置３の変形例としては、補強位置にある補強部材５８が開閉体幅方向に対し略直交する態様とすることも可能である。この場合、補強部材５８の端部は、開閉装置１と同様に収納ケース４１と下枠３０に係止するようにすればよい。
【００５８】
また、上述した開閉装置１によれば、補強部材５１，５２，５３を上下方向に３本設けたが、他例としては、補強部材を１本設けるようにしてもよいし、上下方向に２本又は４本以上設けるようにしてもよい。
補強部材を一本とした場合には、その一本の補強部材は、少なくとも開閉体開閉方向の中央よりに存在することが好ましい。この構成によれば、風圧等による開閉体中央部の撓みを効果的に抑制することができる。
【００５９】
前記補強部材を複数設けるようにした場合、それら複数の補強部材のうち、一番上に位置する補強部材は、収納位置における開閉体幅方向の長さを、他の補強部材よりも長くすることが好ましい。この構成によれば、軸支部材５０ａが比較的下よりに位置するため、補強位置にする回動操作の際に手が届きやすい。
【００６０】
また、前記補強部材を３以上設けるようにした場合、一番上の補強部材と一番下の補強部材以外の中間の補強部材の収納位置における開閉体幅方向の長さは、一番上の補強部材および一番下の補強部材よりも短いことが好ましい。すなわち、一番上の補強部材は、手が届きやすいように、中間の補強部材よりも長い方が好ましく、また、一番下の補強部材も、操作し易い高さ位置となるように、中間の補強部材よりも長い方が好ましい。したがって、操作性の観点からは中間の補強部材は、一番上の補強部材および一番下の補強部材よりも短くするのが好ましい。なお、補強という観点では、中間の補強部材が一番上の補強部材又は一番下の補強部材と同じか略同じ長さでもよい。
【００６１】
また、上述した開閉装置１によれば、好ましい一例として、各補強部材５１，５２，５３は、軸支部材５０ａを中心とする左右の長さを同等にしたが、補強部材の他例としては、軸支部材５０ａを中心とする左右の長さを異なるようにしいてもよい。この他例において、重心が長さ方向の中心からずれることにより、補強部材の水平状態が保持し難くなる場合には、止め部材等をスラット１１ａに設け、該止め部材によって補強部材を支持することが好ましい。なお、補強部材がスラット１１ａに嵌り込むことにより水平状態を保持する場合には、前記止め部材は不要である。
【００６２】
また、上述した開閉装置１によれば、開閉体１０に対し一列の補強部材５１，５２，５３を設けたが、他例としては、開閉体１０に対し幅方向に間隔を置いて複数列となるように補強部材を設けるようにしてもよい。なお、開閉装置１のように、開閉体１０に対し一列の補強部材を設ける場合には、その一列の補強部材は、開閉体１０の幅方向の中央または中央近傍に位置するのが好ましい。
また、前記態様において、各列の補強部材は、開閉装置１のように上下方向に並ぶ複数の補強部材としてもよいし、一本の補強部材としてもよい。
【符号の説明】
【００６３】
１：開閉装置
１０：開閉体
１１ａ：スラット
２０：ガイドレール
３０：下枠
３１，４２：係止部材
４０：巻取装置
５１，５２，５３：補強部材
【図１】
0005542512.tif 000002
【図２】
0005542512.tif 000003
【図３】
0005542512.tif 000004
【図４】
0005542512.tif 000005
【図５】
0005542512.tif 000006
【図６】
0005542512.tif 000007
【図７】
0005542512.tif 000008
【図８】
0005542512.tif 000009